(57)【要約】   【課題】  液晶表示装置を常温よりも高い温度環境下で使用する場合には、液晶表示パネルの温度はさらに上昇してしまい、液晶表示パネルの温度上昇を抑制することが出来ない。  【解決手段】温度検出手段５が液晶表示パネル２の温度を検出し、制御手段６、７、１１が、検出された温度が所定の温度以下の場合、黒挿入期間の比率を温度の増加に対応して増加させ、検出された温度が前記所定の温度より高い場合、黒挿入期間の比率を、検出された温度が所定の温度である場合に設定される黒挿入期間の比率と等しいかまたはその比率より小さい比率とし、かつバックライトユニット３の明るさを、検出された温度が所定の温度である場合に設定されるバックライトユニット３の明るさと等しいかまたはその明るさより暗い明るさにする。【選択図】  図１
2006292965.tif 000002
【特許請求の範囲】
【請求項１】
マトリックス状に配置された信号線及び走査線、及び前記信号線及び走査線の交点に設けられた液晶表示素子を有する液晶表示パネルと、
前記走査線にゲート信号を供給するゲートドライバと、
表示期間には、前記信号線に表示データの階調に対応する電圧を供給し、黒挿入期間には、前記信号線に黒色の階調に対応する電圧を供給するソースドライバと、
前記液晶表示パネルを照明する照明手段と、
前記液晶表示パネルの温度を検出する温度検出手段と、
検出された前記温度が所定の温度以下の場合、前記黒挿入期間の比率を温度の増加に対応して増加させ、検出された前記温度が前記所定の温度より高い場合、前記黒挿入期間の比率を、検出された前記温度が前記所定の温度である場合に設定される黒挿入期間の比率と等しいかまたはその比率より小さい比率とし、かつ前記照明手段の明るさを、検出された前記温度が前記所定の温度である場合に設定される前記照明手段の明るさと等しいかまたはその明るさより暗い明るさにする制御手段とを備えた、液晶表示装置。
【請求項２】
マトリックス状に配置された信号線及び走査線、及び前記信号線及び走査線の交点に設けられ、ＯＣＢモード液晶を使用した液晶表示素子を有する液晶表示パネルと、
前記走査線にゲート信号を供給するゲートドライバと、
表示期間には、前記信号線に表示データの階調に対応する電圧を供給し、黒挿入期間には、前記信号線に黒色の階調に対応する電圧を供給するソースドライバと、
前記液晶表示パネルを照明する照明手段と、
前記液晶表示パネルの温度を検出する温度検出手段と、
検出された前記温度が所定の温度以下である場合、前記黒挿入期間の比率を温度に関して固定値とし、検出された前記温度が所定の温度より高い場合、前記黒挿入期間の比率を、前記固定値より小さい比率とし、かつ前記照明手段の明るさを、検出された前記温度が前記所定の温度である場合に設定される前記照明手段の明るさより暗い明るさにする制御手段とを備えた、液晶表示装置。
【請求項３】
前記液晶表示素子は、ＯＣＢモード液晶を使用した液晶表示素子であり、
前記制御手段が検出された前記温度において設定する前記黒挿入期間の比率は、検出された前記温度において、前記ＯＣＢモード液晶の逆転移を防止することが出来るような黒挿入期間の最小の比率に等しいかまたはその比率より大きい、請求項１または２に記載の液晶表示装置。
【請求項４】
前記照明手段は、光源が点灯と消灯とを繰り返しながら前記液晶表示パネルを照明するものであり、前記照明手段は、前記点灯と消灯との比率を調整することにより前記明るさを調整する、請求項１または２に記載の液晶表示装置。
【請求項５】
マトリックス状に配置された信号線及び走査線、及び前記信号線及び走査線の交点に設けられた液晶表示素子を有する液晶表示パネルと、
前記走査線にゲート信号を供給するゲートドライバと、
表示期間には、前記信号線に表示データの階調に対応する電圧を供給し、黒挿入期間には、前記信号線に黒色の階調に対応する電圧を供給するソースドライバと、
前記液晶表示パネルを照明する照明手段とを備えた液晶表示装置を駆動する液晶表示装置の駆動方法であって、
前記液晶表示パネルの温度を検出する温度検出ステップと、
検出された前記温度が所定の温度以下の場合、前記黒挿入期間の比率を温度の増加に対応して増加させ、検出された前記温度が前記所定の温度より高い場合、前記黒挿入期間の比率を、検出された前記温度が前記所定の温度である場合に設定される黒挿入期間の比率と等しいかまたはその比率より小さい比率とし、かつ前記照明手段の明るさを、検出された前記温度が前記所定の温度である場合に設定される前記照明手段の明るさと等しいかまたはその明るさより暗い明るさにする制御ステップとを備えた、液晶表示装置の駆動方法。
【請求項６】
マトリックス状に配置された信号線及び走査線、及び前記信号線及び走査線の交点に設けられ、ＯＣＢモード液晶を使用した液晶表示素子を有する液晶表示パネルと、
前記走査線にゲート信号を供給するゲートドライバと、
表示期間には、前記信号線に表示データの階調に対応する電圧を供給し、黒挿入期間には、前記信号線に黒色の階調に対応する電圧を供給するソースドライバと、
前記液晶表示パネルを照明する照明とを備えた液晶表示装置の駆動方法であって、
前記液晶表示パネルの温度を検出する温度検出ステップと、
検出された前記温度が所定の温度以下である場合、前記黒挿入期間の比率を温度に関して固定値とし、検出された前記温度が所定の温度より高い場合、前記黒挿入期間の比率を、前記固定値より小さい比率とし、かつ前記照明手段の明るさを、検出された前記温度が前記所定の温度である場合に設定される前記照明手段の明るさより暗い明るさにする制御ステップとを備えた、液晶表示装置の駆動方法。
【発明の詳細な説明】
【技術分野】
【０００１】
本発明は、液晶を用いた液晶表示装置、及び液晶表示装置の駆動方法に関するものである。
【背景技術】
【０００２】
液晶表示装置は薄型、軽量であり、従来のブラウン管に代替するものとして、近年一層用途が拡大されてきた。しかし、現在広く使用されているＴＮ（Ｔｗｉｓｔｅｄ  Ｎｅｍａｔｉｃ）配向液晶表示パネルは視野角が狭く、また応答速度が遅く、動画表示時には尾を引くように見える等、ブラウン管より画質が劣る。
【０００３】
これに対して、近年、高速応答、高視野角という特徴を有するＯＣＢ（Ｏｐｔｉｃａｌｌｙ  Ｃｏｍｐｅｎｓａｔｅｄ  Ｂｉｒｅｆｒｉｎｇｅｎｃｅ）モードを用いた液晶表示装置が用いられるようになってきている。この液晶表示装置は、液晶をベンド配向させて視覚補償を行い、さらにこれに光学位相補償フィルムを組み合わせることにより広い視野角を得るようにしたものである。
【０００４】
図１０（ａ）、図１０（ｂ）、及び図１０（ｃ）にＯＣＢモードを用いた液晶表示装置を構成する液晶表示パネルの概略断面図を示す。図１０（ａ）、及び図１０（ｂ）は、ＯＣＢモードを用いた液晶表示装置を構成する液晶表示パネルの電圧印加状態の概略断面図であり、図１０（ｃ）は、ＯＣＢモードを用いた液晶表示装置を構成する液晶表示パネルの電圧無印加状態の概略断面図である。
【０００５】
ＯＣＢモードを用いた液晶表示装置を構成する液晶表示パネルのガラス基板５１の間には、図１０（ａ）等に液晶分子５２として示すように、ネマチック液晶が注入されている。そして、電圧を印加していない液晶の配向状態は、スプレイ状態５３と呼ばれている。液晶表示装置の電源投入時には転移駆動と呼ばれる駆動を行う必要がある。すなわち、転移駆動とは、液晶表示装置の電源投入時にこの液晶層に２０ボルトから２５ボルト程度の比較的大きな電圧を印加することにより、図１０（ｃ）に示すスプレイ状態５３から図１０（ａ）、図１０（ｂ）に示すベンド状態５４ａ、５４ｂに転移させる駆動のことである。このベンド状態５４ａ、５４ｂを用いて表示を行うのが、ＯＣＢモードの特徴であり、電圧の大きさを変化させることでパネルの透過率を変化させるものである。
【０００６】
図１０（ａ）に示すベンド状態５４ａは、白表示をしている場合のベンド状態を示し、図１０（ｂ）のベンド状態５４ｂは、黒表示をしている場合のベンド状態を示している。
【０００７】
また、ＯＣＢモードを用いた液晶表示装置では、その液晶表示パネルに２ボルト以下の電圧を印加し続けると、液晶表示パネルは、ベンド状態５４ａ、５４ｂからスプレイ状態５３に序々に移行してしまう（以下この移行を逆転移と呼ぶ）。このような逆転移を防止するために、ＯＣＢモードを用いた液晶表示装置では、逆転移防止駆動と呼ばれる駆動が行われる。
【０００８】
つまり、ＯＣＢモードを用いた液晶表示装置が、比較的低い電圧が印加されているときに白表示を行い、比較的高い電圧が印加されているときに黒表示を行うノーマリホワイトモードの場合、逆転移防止駆動とは、逆転移を防止するために、各画素に周期的に表示する映像信号とは別に黒色に対応する電圧を印加することにより、逆転移を防止する駆動である。逆転移防止駆動には、逆転移の防止のために画素に黒色に対応する電圧を印加する動作と、映像信号を印加する動作とを交互に行う２倍速変換と呼ばれる逆転移防止駆動がある。従って、ＯＣＢモードを用いた液晶表示装置では、１フレーム（または１フィールド）の映像を表示する期間には、映像信号を画素に印加している表示期間と、逆転移防止のために黒色に対応する電圧を画素に印加している黒挿入期間とが設けられている。
【０００９】
図１１に、従来のＯＣＢモードを用いた液晶表示装置１０１の構成を示す（例えば特許文献１を参照）。
【００１０】
液晶表示装置１０１は、液晶表示パネル１０２、バックライトユニット１０３、温度センサ１０４、温度検出手段１０５、黒挿入率設定手段１０７、及び液晶表示パネル駆動処理手段１１２を備えている。
【００１１】
液晶表示パネル１０２は、ＯＣＢモードを用いた液晶表示パネルである。
【００１２】
バックライトユニット１０３は、液晶表示パネルを照明する装置であり、例えば冷陰極管などから構成されている。
【００１３】
温度センサ１０４は、液晶表示パネル１０２の温度を検知して、液晶表示パネル１０２の温度に対応する電流等の信号を出力する手段である。
【００１４】
温度検出手段１０５は、温度センサ１０４から出力されてきた信号に基づいて液晶表示パネル１０２の温度を検出する手段である。
【００１５】
黒挿入率設定手段１０７は、温度検出手段１０５から通知される液晶表示パネル１０２の温度に応じて黒挿入期間の比率を設定する手段である。
【００１６】
バックライト制御手段１１１は、バックライトユニット１０３の明るさを例えば、ＰＷＭ（Ｐｌｕｓｅ  Ｗａｖｅ  Ｍｏｄｕｌａｔｉｏｎ）制御を用いて制御する手段である。
【００１７】
液晶表示パネル駆動処理手段１１２は、黒挿入率設定手段１０７で設定された黒挿入期間の比率で液晶表示パネル１０２を駆動する手段である。
【００１８】
図１２に、液晶表示装置１０１のうち、液晶表示パネル駆動処理手段１１２と、バックライトユニット１０３と、液晶表示パネル１０２との詳細な構成を示す。
【００１９】
ここで、図１２に示すゲートドライバ１２７及びソースドライバ１２６は、図１１に示す液晶表示パネル駆動処理手段１１２を構成しており、図１２に示す液晶表示パネル１０２は、図１１の液晶表示パネル１０２に相当している。
【００２０】
液晶表示パネル１０２は、ＴＦＴ（Ｔｈｉｎ  Ｆｉｌｍ  Ｔｒａｎｓｉｓｔｏｒ）タイプの表示パネルである。液晶表示パネル１０２は、内面に共通電極（図示せず）が形成された対向基板（図示せず）と、内面に画素電極１２２、走査線１２３、信号線１２４、画素電極１２２、及びスイッチング素子１２５が形成されたＴＦＴ基板（図示せず）とが、液晶層を挟んで対向するように配置されている。走査線１２３と信号線１２４は、ＴＦＴ基板上でマトリックス状に配設されており、その走査線１２３と信号線１２４とで区画された各画素毎に、画素電極１２２及びスイッチング素子１２５が形成されている。そして、各走査線１２３はゲートドライバ１２６に接続されており、各信号線１２４は、ソースドライバ１２６に接続されている。また、液晶表示パネル１０２の背面にはバックライトユニット１０３が設けられている。
【００２１】
次に、このような従来の液晶表示装置の動作を説明する。
【００２２】
液晶表示装置１０１の電源が入れられた際には、液晶表示パネル１０２の液晶層は、図１０（ｃ）に示すスプレイ状態５３のようにスプレイ状態のままであるので、図１０（ａ）のベンド状態や図１０（ｂ）のベンド状態に転移させる必要がある。そこで、液晶表示装置１０１の電源が入れられた際には、液晶表示装置１０１は、液晶層をスプレイ状態からベンド状態に転移させるために転移駆動を行う。すなわち、液晶表示パネル駆動処理手段１１２のソースドライバ１２６は、画素電極１２２と共通電極との間の電圧が所定の時間だけ２０ボルトから２５ボルトという映像を表示する際の電圧よりも高い電圧になるように、転移駆動のための電圧として、信号線１２４に２０ボルトから２５ボルトの電圧を印加する。従って、液晶層には転移駆動のための電圧が所定時間印加されることになるので、液晶表示パネル１０２の液晶層は、スプレイ状態からベンド状態に転移し、液晶表示装置の表示動作が可能となる。
【００２３】
上記のように転移駆動が完了し、表示動作が可能になると、液晶表示装置１０１は表示動作を開始する。
【００２４】
液晶表示装置１０１が表示動作を行う際には、液晶表示パネル駆動処理手段１１２は、外部から入力される映像信号に応じて、ゲートドライバ１２７、ソースドライバ１２６にそれぞれ制御信号を送る。その結果、ゲートドライバ１２７は、走査線１２３に走査信号電圧を印加して各画素のスイッチング素子１２５を順次オンさせる。  
【００２５】
表示期間には、ソースドライバ１２６は、ゲートドライバ１２７が走査線１２３に走査信号電圧を印加するタイミングに合わせて、信号線１２４を通じて映像信号に応じた電圧を各画素の画素電極１２２に印加する。これにより液晶表示パネル１０２の液晶分子５２が変調され、バックライトユニット１０３から出射される光の透過率が変化する。その結果、ユーザの目に映像信号に対応する画像が映る。
【００２６】
また、黒挿入期間には、ソースドライバ１２６は、ゲートドライバ１２７が走査線１２３に走査信号電圧を印加するタイミングに合わせて、信号線１２４を通じて黒色に対応する電圧を各画素の画素電極１２２に印加する。これにより液晶表示パネル１０２の液晶分子５２が変調され、バックライトユニット１０３から出射される光の透過率が変化する。その結果ユーザの目に黒色の映像が映る。
【００２７】
図１３は、従来の液晶表示装置１０１の動作の一例を示すタイミングチャートである。（ａ）は、各走査線１２３に印加される電圧であり、各走査線１２３に対する走査のタイミングを示している。また、（ｂ）は、各信号線１２４を介して画素電極１２２に印加される電圧の変化を示している。また、（ｃ）は、バックライトユニット１０３が液晶表示パネル１０２を照明する明るさを示している。また、図１３において、Ｎは液晶表示パネル１０２が有している走査線１２３の本数を示している。また、Ｔ１は、１フレーム期間（または１フィールド期間）を示している。また、Ｔ２は映像信号電圧を画素電極１２２に印加する期間である表示期間を示し、Ｔ３は、黒色に対応する電圧を画素電極１２２に印加する期間である黒挿入期間を示している。
【００２８】
図１３に示すように、１フレーム期間Ｔ１は、表示期間Ｔ２と黒挿入期間Ｔ３とから構成されている。そして、図１３の（ａ）に示すように、これらの表示期間Ｔ２と黒挿入期間Ｔ３とのそれぞれにおいて、全ての走査線１２３に対して順次的に走査が行われる。また、液晶表示パネル１０２はドット反転駆動されるため、図１３の（ｂ）に示すように、表示期間Ｔ２と黒挿入期間Ｔ３とのそれぞれにおいて、書き込まれる信号の電圧極性がドット毎に反転するように、画素電極１２２に印加される電圧が変化する。
【００２９】
また、図１３の（ｃ）に示すように、バックライトユニット１０３は、バックライト制御手段１１１の制御に従って、点灯と消灯とを交互に繰り返している。すなわち、バックライト制御手段１１１は、ＰＷＭ（Ｐｌｕｓｅ  Ｗａｖｅ  Ｍｏｄｕｌａｔｉｏｎ）制御を用いてバックライトユニット１０３の点灯と消灯との比率を調整することにより、バックライトユニット１０３が液晶表示パネル１０２を照明する際の明るさを制御する。
【００３０】
一方、温度センサ１０４は、液晶表示パネル１０２の温度を検知して、液晶表示パネル１０２の温度に対応する電流等の信号を出力する。温度検出手段１０５は、温度センサ１０４から出力されてきた信号に基づいて液晶表示パネル１０２の温度を検出する。温度検出手段１０５で検出された温度は、黒挿入率設定手段１０７に送られる。
【００３１】
黒挿入率設定手段１０７は、図１４に示す温度と黒挿入期間の比率を示す黒挿入率とを対応付けるテーブルを利用して、温度検出手段１０５から通知された液晶表示パネル１０２の温度に応じた黒挿入期間の比率を設定する。
【００３２】
すなわち、図１４は、黒挿入率設定手段１０７が、温度に応じてどのような黒挿入率を設定するかを示すものである。図１４から明らかなように、温度が増加するにつれて黒挿入率設定手段１０７が設定する黒挿入率が増加している。そして、温度が摂氏０度から摂氏６０度まででは、黒挿入率は比較的ゆっくり増加しているが、摂氏６０度以上では、黒挿入率は温度の増加に応じて急激に増加している。
【００３３】
液晶表示装置１０１を高温下で使用した場合では、液晶分子が動きやすくなるために、ベンド配向からスプレイ配向への逆転移が発生しやすくなる。図１４は、その逆転移を防止して、ベンド配向を安定して維持することが出来るような黒挿入率を特定するために、液晶表示パネル１０２の表面付近の温度と適切な黒挿入率との関係を予め調べることによって求めたものである。つまり、図１４は、液晶表示パネル１０２の表面付近の温度と黒挿入率とを変化させながら画像表示を行い、ベンド状態を安定して維持することが出来、しかも良好な表示を得るために必要な精度との関係を主観評価により求めたものである。
【００３４】
例えば、黒挿入率設定手段１０７は、図１４を参照して、例えば温度が摂氏４０度の場合、黒挿入率を１７パーセントに設定し、温度が摂氏６０度の場合、黒挿入率を２３パーセントに設定する。
【００３５】
液晶表示パネル駆動処理手段は、黒挿入率設定手段１０７が設定した黒挿入期間で、液晶表示パネル１０２を駆動する。
【００３６】
このように、従来の液晶表示装置１０１は、図１４に示すように、温度が上昇するとともに黒挿入率も増加させるので、高温下でも低温下でも良好な表示を維持することが出来る。
【００３７】
また、上記のように黒挿入期間を設けることにより、黒表示により表示された映像の残像が消去されるので、動画表示時に発生する画像のぼけを防止することも出来る。従って、ＯＣＢモードを用いた液晶表示装置では、逆転移を防止することを目的とするのみならず、動画表示時に発生する画像のぼけを防止することをも目的として黒挿入期間が設けられ、またその期間の長さが予め調整される場合もある。
【００３８】
また、ＴＮ配向液晶を用いた液晶表示装置等、ＯＣＢモードを用いた液晶表示装置以外の液晶表示装置では、逆転防止駆動を行う必要はないので、表示期間とは別に黒挿入期間を設ける必要がない。しかしながら、このような液晶表示装置であっても、動画表示時に発生する画像のぼけを防止することを目的として表示期間とは別に、上述したような黒挿入期間が設けられることもある。
【特許文献１】特開２００３−２９５１５６号公報
【発明の開示】
【発明が解決しようとする課題】
【００３９】
しかしながら、従来の液晶表示装置１０１のバックライトユニット１０３は、液晶表示パネル１０２を照明するに伴い熱をも放熱する。従って、液晶表示パネル１０２の温度は、バックライトユニット１０３の放熱のために、液晶表示装置１０１の周囲の気温以上に上昇することになる。例えばバックライトユニット１０３が液晶表示パネル１０２の温度を約３０度上昇させるだけの放熱をする場合、気温が摂氏３０度では、液晶表示パネル１０２の温度は、６０度になる。また、気温が摂氏６０度では、液晶表示パネル１０２の温度は、９０度になる。このように、従来の液晶表示装置１０１を常温よりも高い温度で使用した場合には、液晶表示パネル１０２の温度はかなり高温になる。従って、このような高温状態で液晶表示パネル１０２を使用した場合であっても、液晶表示装置が誤動作しないような温度対策を施さなければならず、設計及び製造段階で多大なコストを必要とした。
【００４０】
すなわち、従来の液晶表示装置を常温よりも高い温度環境下で使用する場合には、液晶表示パネルの温度はさらに上昇するので、そのような高い温度で液晶表示パネルを使用しても液晶表示装置が誤動作しないような温度対策を施さなければならず、液晶表示装置の設計及び製造段階で多大なコストが必要になるという課題がある。
【００４１】
本発明は、上記課題を考慮し、気温が常温よりも高い場合に液晶表示装置を使用した際であっても、出来る限り液晶表示パネルのさらなる温度上昇を抑制することが出来る液晶表示装置、及び液晶表示装置の駆動方法を提供することを目的とするものである。
【課題を解決するための手段】
【００４２】
上述した課題を解決するために、第１の本発明は、マトリックス状に配置された信号線及び走査線、及び前記信号線及び走査線の交点に設けられた液晶表示素子を有する液晶表示パネルと、
前記走査線にゲート信号を供給するゲートドライバと、
表示期間には、前記信号線に表示データの階調に対応する電圧を供給し、黒挿入期間には、前記信号線に黒色の階調に対応する電圧を供給するソースドライバと、
前記液晶表示パネルを照明する照明手段と、
前記液晶表示パネルの温度を検出する温度検出手段と、
検出された前記温度が所定の温度以下の場合、前記黒挿入期間の比率を温度の増加に対応して増加させ、検出された前記温度が前記所定の温度より高い場合、前記黒挿入期間の比率を、検出された前記温度が前記所定の温度である場合に設定される黒挿入期間の比率と等しいかまたはその比率より小さい比率とし、かつ前記照明手段の明るさを、検出された前記温度が前記所定の温度である場合に設定される前記照明手段の明るさと等しいかまたはその明るさより暗い明るさにする制御手段とを備えた、液晶表示装置である。
【００４３】
また、第２の本発明は、マトリックス状に配置された信号線及び走査線、及び前記信号線及び走査線の交点に設けられ、ＯＣＢモード液晶を使用した液晶表示素子を有する液晶表示パネルと、
前記走査線にゲート信号を供給するゲートドライバと、
表示期間には、前記信号線に表示データの階調に対応する電圧を供給し、黒挿入期間には、前記信号線に黒色の階調に対応する電圧を供給するソースドライバと、
前記液晶表示パネルを照明する照明手段と、
前記液晶表示パネルの温度を検出する温度検出手段と、
検出された前記温度が所定の温度以下である場合、前記黒挿入期間の比率を温度に関して固定値とし、検出された前記温度が所定の温度より高い場合、前記黒挿入期間の比率を、前記固定値より小さい比率とし、かつ前記照明手段の明るさを、検出された前記温度が前記所定の温度である場合に設定される前記照明手段の明るさより暗い明るさにする制御手段とを備えた、液晶表示装置である。
【００４４】
また、第３の本発明は、前記液晶表示素子は、ＯＣＢモード液晶を使用した液晶表示素子であり、
前記制御手段が検出された前記温度において設定する前記黒挿入期間の比率は、検出された前記温度において、前記ＯＣＢモード液晶の逆転移を防止することが出来るような黒挿入期間の最小の比率に等しいかまたはその比率より大きい、第１または２の本発明の液晶表示装置である。
【００４５】
また、第４の本発明は、前記照明手段は、光源が点灯と消灯とを繰り返しながら前記液晶表示パネルを照明するものであり、前記照明手段は、前記点灯と消灯との比率を調整することにより前記明るさを調整する、第１または２の本発明の液晶表示装置である。
【００４６】
また、第５の本発明は、マトリックス状に配置された信号線及び走査線、及び前記信号線及び走査線の交点に設けられた液晶表示素子を有する液晶表示パネルと、
前記走査線にゲート信号を供給するゲートドライバと、
表示期間には、前記信号線に表示データの階調に対応する電圧を供給し、黒挿入期間には、前記信号線に黒色の階調に対応する電圧を供給するソースドライバと、
前記液晶表示パネルを照明する照明手段とを備えた液晶表示装置を駆動する液晶表示装置の駆動方法であって、
前記液晶表示パネルの温度を検出する温度検出ステップと、
検出された前記温度が所定の温度以下の場合、前記黒挿入期間の比率を温度の増加に対応して増加させ、検出された前記温度が前記所定の温度より高い場合、前記黒挿入期間の比率を、検出された前記温度が前記所定の温度である場合に設定される黒挿入期間の比率と等しいかまたはその比率より小さい比率とし、かつ前記照明手段の明るさを、検出された前記温度が前記所定の温度である場合に設定される前記照明手段の明るさと等しいかまたはその明るさより暗い明るさにする制御ステップとを備えた、液晶表示装置の駆動方法である。
【００４７】
また、第６の本発明は、マトリックス状に配置された信号線及び走査線、及び前記信号線及び走査線の交点に設けられ、ＯＣＢモード液晶を使用した液晶表示素子を有する液晶表示パネルと、
前記走査線にゲート信号を供給するゲートドライバと、
表示期間には、前記信号線に表示データの階調に対応する電圧を供給し、黒挿入期間には、前記信号線に黒色の階調に対応する電圧を供給するソースドライバと、
前記液晶表示パネルを照明する照明とを備えた液晶表示装置の駆動方法であって、
前記液晶表示パネルの温度を検出する温度検出ステップと、
検出された前記温度が所定の温度以下である場合、前記黒挿入期間の比率を温度に関して固定値とし、検出された前記温度が所定の温度より高い場合、前記黒挿入期間の比率を、前記固定値より小さい比率とし、かつ前記照明手段の明るさを、検出された前記温度が前記所定の温度である場合に設定される前記照明手段の明るさより暗い明るさにする制御ステップとを備えた、液晶表示装置の駆動方法である。
【発明の効果】
【００４８】
本発明は、気温が常温よりも高い場合に液晶表示装置を使用した際であっても、出来る限り液晶表示パネルのさらなる温度上昇を抑制することが出来る液晶表示装置、及び液晶表示装置の駆動方法を提供することが出来る。
【発明を実施するための最良の形態】
【００４９】
以下に、本発明の実施の形態を図面を参照して説明する。
【００５０】
（第１の実施の形態）
まず、第１の実施の形態について説明する。
【００５１】
第１の実施の形態では、常温よりも高い温度で使用した場合に、液晶表示パネルのさらなう温度上昇を極力抑えることが出来る、ＯＣＢモードを用いた液晶表示装置について説明する。
【００５２】
図１に、第１の実施の形態のＯＣＢモードを用いた液晶表示装置１の構成を示す。
【００５３】
液晶表示装置１は、液晶表示パネル２、バックライトユニット３、温度センサ４、温度検出手段５、黒挿入抑制手段６、黒挿入率設定手段７、及び液晶表示パネル駆動処理手段１２を備えている。
【００５４】
液晶表示パネル２は、ＯＣＢモードを用いた液晶表示パネルである。
【００５５】
バックライトユニット３は、液晶表示パネルを照明する装置であり、例えば冷陰極管などから構成されている。
【００５６】
温度センサ４は、液晶表示パネル２の温度を検知して、液晶表示パネル２の温度に対応する電流等の信号を出力する手段である。
【００５７】
温度検出手段５は、温度センサ４から出力されてきた信号に基づいて液晶表示パネル２の温度を検出する手段である。
【００５８】
黒挿入抑制手段６は、温度検出手段５で検出された温度が常温よりも高い場合（例えば摂氏６０度よりも高い場合）、抑制した黒挿入期間の比率を出力することによって、黒挿入率設定手段７が設定する黒挿入期間の比率を抑制する手段である。
【００５９】
黒挿入率設定手段７は、温度検出手段５から通知される液晶表示パネル２の温度に応じて黒挿入期間の比率を設定する手段である。また、黒挿入率設定手段７は、動画用黒挿入率設定手段８、逆転移防止用黒挿入率設定手段９、黒挿入率決定手段１０とから構成される。
【００６０】
動画用黒挿入率設定手段８は、動画表示時に発生する画像のぼけを防止するための黒挿入期間の比率を設定する手段である。
【００６１】
逆転移防止用黒挿入率設定手段９は、液晶表示パネル２の液晶層がベンド状態からスプレイ状態に逆転移することを防止するための黒挿入期間の比率を設定する手段である。
【００６２】
黒挿入率決定手段１０は、黒挿入抑制手段６から出力された抑制された黒挿入期間の比率と、動画用黒挿入率設定手段８が設定した黒挿入期間の比率と、逆転移防止用黒挿入率設定手段９が設定した黒挿入期間の比率とを考慮して、最終的な黒挿入期間の比率を設定し、設定した黒挿入期間の比率を液晶表示パネル駆動処理手段１２に出力する手段である。
【００６３】
バックライト制御手段１１は、バックライトユニット３の明るさを例えば、ＰＷＭ（Ｐｌｕｓｅ  Ｗａｖｅ  Ｍｏｄｕｌａｔｉｏｎ）制御を用いて制御する手段である。
【００６４】
液晶表示パネル駆動処理手段１２は、黒挿入率設定手段７で設定された黒挿入期間の比率で液晶表示パネル２を駆動する手段である。
【００６５】
図２に、液晶表示装置１のうち、液晶表示パネル駆動処理手段１２と、バックライトユニット３と、液晶表示パネル２との詳細な構成を示す。
【００６６】
ここで、図２に示すゲートドライバ２７及びソースドライバ２６は、図１に示す液晶表示パネル駆動処理手段１２を構成しており、図２に示す液晶表示パネル２は、図１の液晶表示パネル２に相当している。
【００６７】
液晶表示パネル２は、ＴＦＴ（Ｔｈｉｎ  Ｆｉｌｍ  Ｔｒａｎｓｉｓｔｏｒ）タイプの表示パネルである。液晶表示パネル２は、内面に共通電極（図示せず）が形成された対向基板（図示せず）と、内面に画素電極２２、走査線２３、信号線２４、画素電極２２、及びスイッチング素子２５が形成されたＴＦＴ基板（図示せず）とが、液晶層を挟んで対向するように配置されている。走査線２３と信号線２４は、ＴＦＴ基板上でマトリックス状に配設されており、その走査線２３と信号線２４とで区画された各画素毎に、画素電極２２及びスイッチング素子２５が形成されている。そして、各走査線２３はゲートドライバ２７に接続されており、各信号線２４は、ソースドライバ２６に接続されている。また、液晶表示パネル２の背面にはバックライトユニット３が設けられている。
【００６８】
次に、このような第１の実施の形態の液晶表示装置の動作を説明する。
【００６９】
液晶表示装置１の電源が入れられた際には、液晶表示パネル２の液晶層は、図１０（ｃ）に示すスプレイ状態５３のようにスプレイ状態のままであるので、図１０（ａ）のベンド状態や図１０（ｂ）のベンド状態に転移させる必要がある。そこで、液晶表示装置１の電源が入れられた際には、液晶表示装置１は、液晶層をスプレイ状態からベンド状態に転移させるために転移駆動を行う。すなわち、液晶表示パネル駆動処理手段１２のソースドライバ２６は、画素電極２２と共通電極との間の電圧が所定の時間だけ２０ボルトから２５ボルトという映像を表示する際の電圧よりも高い電圧になるように、転移駆動のための電圧として、信号線２４に２０ボルトから２５ボルトの電圧を印加する。従って、液晶層には転移駆動のための電圧が所定時間印加されることになるので、液晶表示パネル２の液晶層は、スプレイ状態からベンド状態に転移し、液晶表示装置の表示動作が可能となる。
【００７０】
上記のように転移駆動が完了し、表示動作が可能になると、液晶表示装置１は表示動作を開始する。
【００７１】
液晶表示装置１が表示動作を行う際には、液晶表示パネル駆動処理手段１２は、外部から入力される映像信号に応じて、ゲートドライバ２７、ソースドライバ２６にそれぞれ制御信号を送る。その結果、ゲートドライバ２７は、走査線２３に走査信号電圧を印加して各画素のスイッチング素子２５を順次オンさせる。  
【００７２】
表示期間には、ソースドライバ２６は、ゲートドライバ２７が走査線２３に走査信号電圧を印加するタイミングに合わせて、信号線２３を通じて映像信号に応じた電圧を各画素の画素電極２２に印加する。これにより液晶表示パネル２の液晶分子が変調され、バックライトユニット３から出射される光の透過率が変化する。その結果、ユーザの目に映像信号に対応する画像が映る。
【００７３】
また、黒挿入期間には、ソースドライバ２６は、ゲートドライバ２７が走査線２３に走査信号電圧を印加するタイミングに合わせて、信号線２３を通じて黒色に対応する電圧を各画素の画素電極２２に印加する。これにより液晶表示パネル２の液晶分子が変調され、バックライトユニット３から出射される光の透過率が変化する。その結果ユーザの目に黒色の映像が映る。
【００７４】
図３は、液晶表示装置１の動作の一例を示すタイミングチャートである。（ａ）は、各走査線２３に印加される電圧であり、各走査線２３に対する走査のタイミングを示している。また、（ｂ）は、各信号線２４を介して画素電極２２に印加される電圧の変化を示している。また、（ｃ）は、バックライトユニット３が液晶表示パネル２を照明する明るさを示している。また、図３において、Ｎは液晶表示パネル２が有している走査線２３の本数を示している。また、Ｔ１は、１フレーム期間（または１フィールド期間）を示している。また、Ｔ２は映像信号電圧を画素電極２２に印加する期間である表示期間を示し、Ｔ３は、黒色に対応する電圧を画素電極２２に印加する期間である黒挿入期間を示している。
【００７５】
図３に示すように、１フレーム期間Ｔ１は、表示期間Ｔ２と黒挿入期間Ｔ３とから構成されている。そして、図３の（ａ）に示すように、これらの表示期間Ｔ２と黒挿入期間Ｔ３とのそれぞれにおいて、全ての走査線２３に対して順次的に走査が行われる。また、液晶表示パネル２はドット反転駆動されるため、図３の（ｂ）に示すように、表示期間Ｔ２と黒挿入期間Ｔ３とのそれぞれにおいて、書き込まれる信号の電圧極性がドット毎に反転するように、画素電極２２に印加される電圧が変化する。
【００７６】
また、図３の（ｃ）に示すように、バックライトユニット３は、バックライト制御手段１１の制御に従って、点灯と消灯とを交互に繰り返している。すなわち、バックライト制御手段１１１は、ＰＷＭ（Ｐｌｕｓｅ  Ｗａｖｅ  Ｍｏｄｕｌａｔｉｏｎ）制御を用いてバックライトユニット３の点灯と消灯との比率を調整することにより、バックライトユニット３が液晶表示パネル２を照明する際の明るさを制御する。
【００７７】
一方、温度センサ４は、液晶表示パネル２の温度を検知して、液晶表示パネル２の温度に対応する電流等の信号を出力する。温度検出手段５は、温度センサ４から出力されてきた信号に基づいて液晶表示パネル２の温度を検出する。温度検出手段５で検出された温度情報は、黒挿入抑制手段６及び黒挿入率設定手段７に送られる。
【００７８】
黒挿入率設定手段７は、温度検出手段５で検出された温度情報を受け取ると、検出された温度に応じた黒挿入期間の比率を設定する。
【００７９】
そのために、動画用黒挿入率設定手段８は、動画表示時に発生する画像のぼけを防止するための黒挿入期間の比率を設定し、逆転移防止用黒挿入率設定手段９は、逆転移を防止するための黒挿入期間の比率を設定する。
【００８０】
図４に、動画用黒挿入率設定手段８が設定する黒挿入期間の比率と、逆転移防止用黒挿入率設定手段９が設定する黒挿入期間の比率とを示す。図４に示す３１は、動画用黒挿入率設定手段８が設定する黒挿入期間の比率を示す。３１は、温度に依存せず、１０パーセントの定数となっている。従って、動画用黒挿入率設定手段８は、動画表示時に発生する画像のぼけを防止するための黒挿入期間の比率として１０パーセントを設定する。３２は、逆転移防止用黒挿入率設定手段９が設定する黒挿入期間の比率を示す。３２は、温度に依存しており、温度が上昇するにつれて増加している。
【００８１】
また、黒挿入抑制手段６は、液晶表示パネル２の温度が常温より高い場合（例えば液晶表示パネル２の温度が摂氏６０度よりも高い場合）、抑制された黒挿入期間の比率として、摂氏６０度における黒挿入期間の比率よりも小さい値を出力する。また、黒挿入抑制手段６は、液晶表示パネル２の温度が常温である場合（例えば、液晶表示パネル２の温度が摂氏６０度以下の場合）、抑制された黒挿入期間の比率として１００パーセントを出力する。
【００８２】
黒挿入率決定手段１０は、動画用黒挿入率設定手段８が設定した黒挿入期間の比率と、逆転移防止用黒挿入率設定手段９が設定した黒挿入期間の比率とを比較し、値が大きい方の黒挿入期間の比率を、黒挿入期間の比率の候補とする。そして、黒挿入率決定手段１０は、このようにして決定された黒挿入期間の比率と、黒挿入抑制手段６から送られてきた抑制された黒挿入期間の比率とを比較し、値が小さい方の黒挿入期間の比率を最終的な黒挿入期間の比率として決定し、液晶表示パネル駆動処理手段１２に出力する。
【００８３】
図５の３３は、上記のようにして黒挿入率決定手段１０が最終的に決定した黒挿入率の比率である。また、点線で示した３１及び３２は、それぞれ図４の３２及び３１と同一のものを理解を容易にするために点線で示したものである。すなわち、図５の３１は、動画用黒挿入率設定手段８が設定した、動画表示時に発生する画像のぼけを防止するための黒挿入期間の比率であり、３２は、逆転移防止用黒挿入率設定手段９が設定した、逆転移を防止するための黒挿入期間の比率である。
【００８４】
図５から明らかなように、黒挿入率設定手段７から液晶表示パネル駆動処理手段１２に出力される、最終的に設定された黒挿入期間の比率は、常温（例えば摂氏６０度以下の温度）では、３２と一致する。すなわち、逆転移防止用黒挿入率設定手段９が設定した黒挿入率の比率に一致する。また、最終的に設定された黒挿入期間の比率は、常温より高い温度（例えば摂氏６０度より高い温度）の場合、摂氏６０度における黒挿入率の比率より小さく設定される。  
【００８５】
具体的には、黒挿入率決定手段１０で最終的に決定され、液晶表示パネル駆動処理手段１２に出力される黒挿入期間の比率は、液晶表示パネル２の温度が摂氏４０度の場合には、１６パーセントであり、摂氏６０度の場合は、２０パーセントである。そして摂氏８０度では、２０パーセントである。
【００８６】
例えば、黒挿入率設定手段１０７は、図１４を参照して、例えば温度が摂氏４０度の場合、黒挿入期間の比率を１７パーセントに設定し、温度が摂氏６０度の場合、黒挿入期間の比率を２４パーセントに設定し、摂氏８０度の場合は、黒挿入期間の比率を１７．５パーセントに設定している。
【００８７】
液晶表示パネル駆動処理手段は、黒挿入率設定手段１０７が設定した黒挿入期間で、液晶表示パネル１０２を駆動する。
【００８８】
また、黒挿入率決定手段１０は、決定した黒挿入率の比率をバックライト制御手段１１にも送る。
【００８９】
バックライト制御手段１１は、黒挿入率決定手段１０から送られてきた黒挿入期間の比率に応じてバックライトユニット３が液晶表示パネル２を照明する明るさを制御する。具体的には、黒挿入期間の比率が変化しても液晶表示パネル２の画面の明るさが変化しないように制御する。従って、黒挿入期間の比率が増加した場合には、バックライト制御手段１１は、バックライトユニット３が液晶表示パネル２を照明する明るさを増加させる。逆に、黒挿入期間の比率が減少した場合には、バックライト制御手段１１は、バックライトユニット３が液晶表示パネル２を照明する明るさを減少させる。このようにバックライト制御手段１１は、液晶表示パネル２の画面の明るさが変化しないように、バックライトユニット３が液晶表示パネル２を照明する明るさを制御する。バックライト制御手段１１は、このような制御をＰＷＭ制御により行う。
【００９０】
従って、図５において、液晶表示パネル２の温度が常温より高い温度の場合（例えば摂氏６０度より高い温度の場合）、黒挿入抑制手段６を用いない場合には、黒挿入期間の比率は、図５の３２のような曲線になるが、これに比べて黒挿入抑制手段６を用いている場合には、図５の３３のような曲線になる。従って、黒挿入抑制手段６を用いる場合には、黒挿入抑制手段６を用いない場合に比べて黒挿入期間の比率は小さくなる。従って、表示期間が相対的に長くなるので、バックライトユニット３が液晶表示パネル２を照明する明るさは、暗くてもよい。つまり、バックライト制御手段１１が上記のように液晶表示パネル２の画面の明るさが一定になるようにバックライトユニット３を制御することにより、常温より高い温度の場合（例えば摂氏６０度より高い温度の場合）、バックライトユニット３が液晶表示パネル２を照明する明るさを摂氏６０度の場合に比べて減少させる。従って、液晶表示パネル２が常温より高い温度の場合（例えば摂氏６０度より高い温度の場合）、摂氏６０度の場合に比べて、バックライトユニット３が消費する消費電力が少なくなり放熱量の少なくなり、液晶表示パネル２の温度上昇を少なくすることが出来る。ただし、液晶表示パネル２が常温より高い温度の場合（例えば摂氏６０度より高い温度の場合）には、図５の３２に示される逆転移防止のために必要な黒挿入期間の比率よりも、黒挿入期間の比率が小さく設定される。従って、液晶表示パネル２の表示画面には逆転移が発生する箇所も生じる可能性があり、液晶表示パネル２が表示する画質が劣化することも起こり得る。しかしながら、液晶表示パネル２の温度が異常に上昇して、液晶表示装置１が動作不良を起こすような事態は回避することが出来るので、このような画質劣化が多少起こったとしても、液晶表示装置１の動作不良を回避出来ることの利点は大きい。
【００９１】
このように、第１の実施の形態の液晶表示装置は、液晶表示パネルの温度が所定の温度（常温より高い温度、例えば摂氏６０度）以下の場合、黒挿入期間の比率を温度の増加に対応して増加させ、液晶表示パネルの温度がその所定の温度より高い場合、黒挿入期間の比率を、検出された温度がその所定の温度である場合に設定される黒挿入期間の比率と等しいかまたはその比率より小さい比率とし、かつバックライトユニット３の明るさを、液晶表示パネル２の温度がその所定の温度である場合に設定されるバックライトユニット３の明るさと等しいかまたはその明るさより暗い明るさにするので、所定の温度より液晶表示パネル２の温度が高くなった場合に、液晶表示パネル２のさらなる温度上昇を極力抑えることが出来る。
【００９２】
なお、本実施の形態のバックライトユニット３は本発明の照明手段の例であり、本実施の形態のバックライト制御手段１１、黒挿入抑制手段６、黒挿入率設定手段７は本発明の制御手段の例である。
【００９３】
（第２の実施の形態）
次に、第２の実施の形態について説明する。
【００９４】
図１に第２の実施の形態の液晶表示装置１を示す。第２の実施の形態の液晶表示装置１は、第１の実施の形態で説明したものと同一である。第２の実施の形態と第１の実施の形態との相違点は、動画用黒挿入率設定手段８が設定する黒挿入期間の比率と、逆転移防止用黒挿入率設定手段９が設定する黒挿入期間の比率とが、第１の実施の形態と第２の実施の形態とで異なっている点である。
【００９５】
それ以外は、第１の実施の形態と同様である。
【００９６】
次に、第２の実施の形態の液晶表示装置の動作について、第１の実施の形態との相違点を中心に説明する。
【００９７】
黒挿入率設定手段７、黒挿入抑制手段６等が黒挿入期間の比率を設定するまでの動作は第１の実施の形態と同様であるので、説明を省略し、黒挿入率設定手段７、黒挿入抑制手段６が、黒挿入期間の比率を設定する動作から説明する。
【００９８】
図６に、動画用黒挿入率設定手段８が設定する黒挿入期間の比率と、逆転移防止用黒挿入率設定手段９が設定する黒挿入期間の比率とを示す。図６に示す３４は、動画用黒挿入率設定手段８が設定する黒挿入期間の比率を示す。３４は、温度に依存せず、５０パーセントの定数となっている。従って、動画用黒挿入率設定手段８は、動画表示時に発生する画像のぼけを防止するための黒挿入期間の比率として５０パーセントを設定する。３５は、逆転移防止用黒挿入率設定手段９が設定する黒挿入期間の比率を示す。３５は、温度に依存しており、温度が上昇するにつれて増加している。
【００９９】
また、黒挿入抑制手段６は、液晶表示パネル２の温度が常温より高い場合（例えば液晶表示パネル２の温度が摂氏６０度よりも高い場合）、抑制された黒挿入期間の比率として、摂氏６０度における黒挿入期間の比率よりも小さい値を出力する。また、黒挿入抑制手段６は、液晶表示パネル２の温度が常温である場合（例えば、液晶表示パネル２の温度が摂氏６０度以下の場合）、抑制された黒挿入期間の比率として１００パーセントを出力する。
【０１００】
黒挿入率決定手段１０は、動画用黒挿入率設定手段８が設定した黒挿入期間の比率と、逆転移防止用黒挿入率設定手段９が設定した黒挿入期間の比率とを比較し、値が大きい方の黒挿入期間の比率を、黒挿入期間の比率の候補とする。そして、黒挿入率決定手段１０は、このようにして決定された黒挿入期間の比率と、黒挿入抑制手段６から送られてきた抑制された黒挿入期間の比率とを比較し、値が小さい方の黒挿入期間の比率を最終的な黒挿入期間の比率として決定し、液晶表示パネル駆動処理手段１２に出力する。
【０１０１】
図７の３６は、上記のようにして黒挿入率決定手段１０が最終的に決定した黒挿入率の比率である。また、点線で示した３４及び３５は、それぞれ図６の３４及び３５と同一のものを理解を容易にするために点線で示したものである。すなわち、図７の３４は、動画用黒挿入率設定手段８が設定した、動画表示時に発生する画像のぼけを防止するための黒挿入期間の比率であり、３５は、逆転移防止用黒挿入率設定手段９が設定した、逆転移を防止するための黒挿入期間の比率である。
【０１０２】
図５から明らかなように、黒挿入率設定手段７から液晶表示パネル駆動処理手段１２に出力される、最終的に設定された黒挿入期間の比率は、常温（例えば摂氏６０度以下の温度）では、３４と一致する。すなわち、逆転移防止用黒挿入率設定手段９が設定した黒挿入率の比率に一致する。また、最終的に設定された黒挿入期間の比率は、常温より高い温度（例えば摂氏６０度より高い温度）の場合、摂氏６０度における黒挿入率の比率より小さく設定される。  
【０１０３】
具体的には、黒挿入率決定手段１０で最終的に決定され、液晶表示パネル駆動処理手段１２に出力される黒挿入期間の比率は、液晶表示パネル２の温度が摂氏６０度までの場合には、一律５０パーセントであり、摂氏８０度では、３２パーセントである。
【０１０４】
例えば、黒挿入率設定手段７は、図７を参照して、例えば温度が摂氏６０度までの場合、黒挿入期間の比率を日値率５０パーセントに設定し、温度が摂氏８０度の場合、黒挿入期間の比率を３２パーセントに設定している。
【０１０５】
液晶表示パネル駆動処理手段は、黒挿入率設定手段７が設定した黒挿入期間で、液晶表示パネル２を駆動する。
【０１０６】
また、黒挿入率決定手段１０は、決定した黒挿入率の比率をバックライト制御手段１１にも送る。
【０１０７】
バックライト制御手段１１は、黒挿入率決定手段１０から送られてきた黒挿入期間の比率に応じてバックライトユニット３が液晶表示パネル２を照明する明るさを制御する。具体的には、黒挿入期間の比率が変化しても液晶表示パネル２の画面の明るさが変化しないように制御する。従って、黒挿入期間の比率が増加した場合には、バックライト制御手段１１は、バックライトユニット３が液晶表示パネル２を照明する明るさを増加させる。逆に、黒挿入期間の比率が減少した場合には、バックライト制御手段１１は、バックライトユニット３が液晶表示パネル２を照明する明るさを減少させる。このようにバックライト制御手段１１は、液晶表示パネル２の画面の明るさが変化しないように、バックライトユニット３が液晶表示パネル２を照明する明るさを制御する。バックライト制御手段１１は、このような制御をＰＷＭ制御により行う。
【０１０８】
従って、図５において、液晶表示パネル２の温度が常温より高い温度の場合（例えば摂氏６０度より高い温度の場合）、黒挿入抑制手段６を用いない場合には、黒挿入期間の比率は、図７の３４のような曲線になるが、これに比べて黒挿入抑制手段６を用いている場合には、図７の３６のような曲線になる。従って、黒挿入抑制手段６を用いる場合には、黒挿入抑制手段６を用いない場合に比べて黒挿入期間の比率は小さくなる。従って、表示期間が相対的に長くなるので、バックライトユニット３が液晶表示パネル２を照明する明るさは、暗くてもよい。つまり、バックライト制御手段１１が上記のように液晶表示パネル２の画面の明るさが一定になるようにバックライトユニット３を制御することにより、常温より高い温度の場合（例えば摂氏６０度より高い温度の場合）、バックライトユニット３が液晶表示パネル２を照明する明るさを摂氏６０度の場合に比べて減少させる。従って、液晶表示パネル２が常温より高い温度の場合（例えば摂氏６０度より高い温度の場合）、摂氏６０度の場合に比べて、バックライトユニット３が消費する消費電力が少なくなり放熱量の少なくなり、液晶表示パネル２の温度上昇を少なくすることが出来る。また、液晶表示パネル２が常温より高い温度の場合（例えば摂氏６０度より高い温度の場合）には、図７の３５に示される逆転移防止のために必要な黒挿入期間の比率よりも、黒挿入期間の比率が大きく設定されるので、動画表示性能は多少犠牲になるものの、液晶表示パネル２の表示画面には逆転移が発生することはない。
【０１０９】
このように、液晶表示パネル２の動画表示性能が多少劣化するが、このような画質劣化が多少起こったとしても、液晶表示装置１の動作不良を回避出来ることの利点は大きい。
【０１１０】
このように第２の実施の形態の液晶表示装置は、液晶表示パネル２の温度が所定の温度（例えば摂氏６０度）以下である場合、黒挿入期間の比率を温度に関して固定値とし、液晶表示パネル２の温度がその所定の温度より高い場合、黒挿入期間の比率を、その固定値より小さい比率とし、かつバックライトユニット３の明るさを、液晶表示パネル２の温度がその所定の温度である場合に設定されるバックライトユニット３の明るさより暗い明るさにするので、その所定の温度より液晶表示パネル２の温度が高くなった場合に、液晶表示パネル２のさらなる温度上昇を極力抑えることが出来る。
【０１１１】
（第３の実施の形態）
次に、第３の実施の形態について説明する。
【０１１２】
図１に第３の実施の形態の液晶表示装置１を示す。第３の実施の形態の液晶表示装置１は、第１の実施の形態で説明したものと同一である。第３の実施の形態と第１の実施の形態との相違点は、動画用黒挿入率設定手段８が設定する黒挿入期間の比率と、逆転移防止用黒挿入率設定手段９が設定する黒挿入期間の比率とが、第１の実施の形態と第３の実施の形態とで異なっている点である。
【０１１３】
それ以外は、第１の実施の形態と同様である。
【０１１４】
次に、第３の実施の形態の液晶表示装置の動作について、第１の実施の形態との相違点を中心に説明する。
【０１１５】
黒挿入率設定手段７、黒挿入抑制手段６等が黒挿入期間の比率を設定するまでの動作は第１の実施の形態と同様であるので、説明を省略し、黒挿入率設定手段７、黒挿入抑制手段６が、黒挿入期間の比率を設定する動作から説明する。
【０１１６】
図８に、動画用黒挿入率設定手段８が設定する黒挿入期間の比率と、逆転移防止用黒挿入率設定手段９が設定する黒挿入期間の比率とを示す。図８に示す３７は、動画用黒挿入率設定手段８が設定する黒挿入期間の比率を示す。３７は、温度に依存せず、２０パーセントの定数となっている。従って、動画用黒挿入率設定手段８は、動画表示時に発生する画像のぼけを防止するための黒挿入期間の比率として２０パーセントを設定する。３８は、逆転移防止用黒挿入率設定手段９が設定する黒挿入期間の比率を示す。３８は、温度に依存しており、温度が上昇するにつれて増加している。
【０１１７】
また、黒挿入抑制手段６は、液晶表示パネル２の温度が常温より高い場合（例えば液晶表示パネル２の温度が摂氏６０度よりも高い場合）、抑制された黒挿入期間の比率として、摂氏６０度における黒挿入期間の比率よりも小さい値を出力する。また、黒挿入抑制手段６は、液晶表示パネル２の温度が常温である場合（例えば、液晶表示パネル２の温度が摂氏６０度以下の場合）、抑制された黒挿入期間の比率として１００パーセントを出力する。
【０１１８】
黒挿入率決定手段１０は、動画用黒挿入率設定手段８が設定した黒挿入期間の比率と、逆転移防止用黒挿入率設定手段９が設定した黒挿入期間の比率とを比較し、値が大きい方の黒挿入期間の比率を、黒挿入期間の比率の候補とする。そして、黒挿入率決定手段１０は、このようにして決定された黒挿入期間の比率と、黒挿入抑制手段６から送られてきた抑制された黒挿入期間の比率とを比較し、値が小さい方の黒挿入期間の比率を最終的な黒挿入期間の比率として決定し、液晶表示パネル駆動処理手段１２に出力する。
【０１１９】
図９の３９は、上記のようにして黒挿入率決定手段１０が最終的に決定した黒挿入率の比率である。また、点線で示した３７及び３８は、それぞれ図８の３７及び３８と同一のものを理解を容易にするために点線で示したものである。すなわち、図９の３７は、動画用黒挿入率設定手段８が設定した、動画表示時に発生する画像のぼけを防止するための黒挿入期間の比率であり、３８は、逆転移防止用黒挿入率設定手段９が設定した、逆転移を防止するための黒挿入期間の比率である。
【０１２０】
図９から明らかなように、黒挿入率設定手段７から液晶表示パネル駆動処理手段１２に出力される、最終的に設定された黒挿入期間の比率は、常温（例えば摂氏６０度以下の温度）では、３７と一致する。すなわち、動画用黒挿入率設定手段８が設定した黒挿入率の比率に一致する。また、最終的に設定された黒挿入期間の比率は、常温より高い温度（例えば摂氏６０度より高い温度）の場合、摂氏６０度における黒挿入率の比率より小さく設定される。  
【０１２１】
具体的には、黒挿入率決定手段１０で最終的に決定され、液晶表示パネル駆動処理手段１２に出力される黒挿入期間の比率は、液晶表示パネル２の温度が摂氏６０度までの場合には、一律２０パーセントであり、摂氏８０度では、１７パーセントである。
【０１２２】
例えば、黒挿入率設定手段７は、図９を参照して、例えば温度が摂氏６０度までの場合、黒挿入期間の比率を一律２０パーセントに設定し、温度が摂氏８０度の場合、黒挿入期間の比率を１７パーセントに設定している。
【０１２３】
液晶表示パネル駆動処理手段１２は、黒挿入率設定手段７が設定した黒挿入期間で、液晶表示パネル２を駆動する。
【０１２４】
また、黒挿入率決定手段１０は、決定した黒挿入率の比率をバックライト制御手段１１にも送る。
【０１２５】
バックライト制御手段１１は、黒挿入率決定手段１０から送られてきた黒挿入期間の比率に応じてバックライトユニット３が液晶表示パネル２を照明する明るさを制御する。具体的には、黒挿入期間の比率が変化しても液晶表示パネル２の画面の明るさが変化しないように制御する。従って、黒挿入期間の比率が増加した場合には、バックライト制御手段１１は、バックライトユニット３が液晶表示パネル２を照明する明るさを増加させる。逆に、黒挿入期間の比率が減少した場合には、バックライト制御手段１１は、バックライトユニット３が液晶表示パネル２を照明する明るさを減少させる。このようにバックライト制御手段１１は、液晶表示パネル２の画面の明るさが変化しないように、バックライトユニット３が液晶表示パネル２を照明する明るさを制御する。バックライト制御手段１１は、このような制御をＰＷＭ制御により行う。
【０１２６】
従って、図９において、液晶表示パネル２の温度が常温より高い温度の場合（例えば摂氏６０度より高い温度の場合）、黒挿入抑制手段６を用いない場合には、黒挿入期間の比率は、図９の３８のような曲線になるが、これに比べて黒挿入抑制手段６を用いている場合には、図９の３９のような曲線になる。従って、黒挿入抑制手段６を用いる場合には、黒挿入抑制手段６を用いない場合に比べて黒挿入期間の比率は小さくなる。従って、表示期間が相対的に長くなるので、バックライトユニット３が液晶表示パネル２を照明する明るさは、暗くてもよい。つまり、バックライト制御手段１１が上記のように液晶表示パネル２の画面の明るさが一定になるようにバックライトユニット３を制御することにより、常温より高い温度の場合（例えば摂氏６０度より高い温度の場合）、バックライトユニット３が液晶表示パネル２を照明する明るさを摂氏６０度の場合に比べて減少させる。従って、液晶表示パネル２が常温より高い温度の場合（例えば摂氏６０度より高い温度の場合）、摂氏６０度の場合に比べて、バックライトユニット３が消費する消費電力が少なくなり放熱量の少なくなり、液晶表示パネル２の温度上昇を少なくすることが出来る。また、液晶表示パネル２が常温より高い温度の場合（例えば摂氏６０度より高い温度の場合）には、図９の３８に示される逆転移防止のために必要な黒挿入期間の比率よりも、黒挿入期間の比率が小さく設定されるので、逆転移による表示画面の劣化が起こる可能性がある。
【０１２７】
このように、液晶表示パネル２の画質は多少劣化するが、このような画質劣化が多少起こったとしても、液晶表示装置１の動作不良を回避出来ることの利点は大きい。
【０１２８】
このように第３の実施の形態の液晶表示装置は、液晶表示パネル３の温度が所定の温度（例えば摂氏６０度）以下である場合、黒挿入期間の比率を温度に関して固定値とし、液晶表示パネル２の温度がその所定の温度より高い場合、黒挿入期間の比率を、その固定値より小さい比率とし、かつバックライトユニット３の明るさを、液晶表示パネル２の温度がその所定の温度である場合に設定されるバックライトユニット３の明るさより暗い明るさにするので、その所定の温度より液晶表示パネル２の温度が高くなった場合に、液晶表示パネル２のさらなる温度上昇を極力抑えることが出来る。
【０１２９】
なお、第１の実施の形態から第３の実施の形態まででは、ＯＣＢモードを用いた液晶表示装置について説明したが、これに限らず、ＴＮ配向液晶を用いた液晶表示装置等ＯＣＢモード液晶を利用した液晶表示装置以外の液晶表示装置にも本実施の形態と適用することが出来る。
【産業上の利用可能性】
【０１３０】
本発明に係る液晶表示装置、及び液晶表示装置の駆動方法は、気温が常温よりも高い場合に液晶表示装置を使用した際であっても、出来る限り液晶表示パネルのさらなる温度上昇を抑制することが出来るという効果を有し、液晶を用いた液晶表示装置、及び液晶表示装置の駆動方法に関するものである。
【図面の簡単な説明】
【０１３１】
【図１】本発明の第１〜３の実施の形態における液晶表示装置の構成を示す図
【図２】本発明の第１〜３の実施の形態における液晶表示パネル駆動処理手段、液晶表示パネル及びバックライトユニットの詳細な構成を示す図
【図３】本発明の第１〜３の実施の形態における液晶表示装置を駆動するタイミングチャートを示す図
【図４】本発明の第１の実施の形態における液晶表示装置の動画用黒挿入率設定手段と逆転移防止用黒挿入率設定手段とが設定する黒挿入期間の比率をそれぞれ示す図
【図５】本発明の第１の実施の形態における液晶表示装置の黒挿入率決定手段が決定する黒挿入期間の比率を示す図
【図６】本発明の第２の実施の形態における液晶表示装置の動画用黒挿入率設定手段と逆転移防止用黒挿入率設定手段とが設定する黒挿入期間の比率をそれぞれ示す図
【図７】本発明の第２の実施の形態における液晶表示装置の黒挿入率決定手段が決定する黒挿入期間の比率を示す図
【図８】本発明の第３の実施の形態における液晶表示装置の動画用黒挿入率設定手段と逆転移防止用黒挿入率設定手段とが設定する黒挿入期間の比率をそれぞれ示す図
【図９】本発明の第３の実施の形態における液晶表示装置の黒挿入率決定手段が決定する黒挿入期間の比率を示す図
【図１０】（ａ）ＯＣＢ液晶のベンド状態を示す図  （ｂ）ＯＣＢ液晶のベンド状態を示す図  （ｃ）ＯＣＢ液晶のスプレイ状態を示す図
【図１１】従来の液晶表示装置の構成を示す図
【図１２】従来の液晶表示装置の液晶表示パネル駆動処理手段、液晶表示パネル、及びバックライトユニットの詳細な構成を示す図
【図１３】従来の液晶表示装置を駆動するタイミングチャートを示す図
【図１４】従来の液晶表示装置の黒挿入率設定手段が設定する黒挿入期間の比率を示す図
【符号の説明】
【０１３２】
１  液晶表示装置
２  液晶表示パネル
３  バックライトユニット
４  温度センサ
５  温度検出手段
６  黒挿入抑制手段
７  黒挿入設定手段
８  動画用黒挿入率設定手段
９  逆転移防止用黒挿入率設定手段
１０  黒挿入率決定手段
１１  バックライト制御手段
１２  液晶表示パネル駆動処理手段
２２  画素電極
２３  走査線
２４  信号線
２５  スイッチング素子
２６  ソースドライバ
２７  ゲートドライバ
【図１】
2006292965.tif 000003
【図２】
2006292965.tif 000004
【図３】
2006292965.tif 000005
【図４】
2006292965.tif 000006
【図５】
2006292965.tif 000007
【図６】
2006292965.tif 000008
【図７】
2006292965.tif 000009
【図８】
2006292965.tif 000010
【図９】
2006292965.tif 000011
【図１０】
2006292965.tif 000012
【図１１】
2006292965.tif 000013
【図１２】
2006292965.tif 000014
【図１３】
2006292965.tif 000015
【図１４】
2006292965.tif 000016